(57)【要約】【課題】  訪問者を相対して確認して招じ入れることができ、必要に応じて通風、採光可能であり、視線を遮断して屋内のプライバシーを確保できる二重扉。【解決手段】  戸口縦枠固定用ヒンジピース２１に固定した第１蝶番のシャフト２０の廻りにそれぞれ独立に回動可能に第１ヒンジピース２２及び第２ヒンジピース２３を設け、外扉を第１ヒンジピースに、内扉を第２ヒンジピースの延長部に回動可能に設けた第２蝶番の第３ヒンジピース２６にそれぞれ固定する。  図（A）は内外扉が共に閉じた状態、（B）は共に開いた状態、（C）は内扉が手前側に内開きに開いた状態、（D）は更に外扉が外開きに開いた状態を示し、（C）の状態でスチール格子戸からなる訪問者の確認できる外扉を通して確認後、（D）により招じ入れる。【選択図】図９
2005061095.tif 000002
【特許請求の範囲】
【請求項１】
戸口側壁縦枠に固定した第１の蝶番のヒンジピースに第１の扉を支持すると共にそのヒンジピースの延長上に第２の蝶番を設けてそのヒンジピースに第２の扉を回動可能に支持し、２枚の扉を重ねて第１の蝶番の廻りに回動可能に支持してなる二重扉。
【請求項２】
戸口側壁縦枠に固定した第１の蝶番の共通のシャフトの廻りに長さの異なる第１、第２のヒンジピースをそれぞれ独立に回動可能に設け、第１の扉を長さの短い第１ヒンジピースによって支持すると共に第２の扉を長さの長いヒンジピース先端に設けた第２の蝶番のヒンジピースに回動可能に支持してなることを特徴とする二重扉。
【請求項３】
戸口側壁縦枠に固定した第１の蝶番の共通のシャフトの廻りに長さの異なる第１、第２のヒンジピースをそれぞれ独立に回動可能に設け、第１の扉を長さの短い第１ヒンジピースによって支持すると共に第２の扉を長さの長いヒンジピースより支持してなることを特徴とする二重扉。
【請求項４】
二重扉のうち外扉を訪問者と相対して確認可能な扉構造とし、内扉を視線を遮り、屋内を見通せない扉構造としてなることを特徴とする請求項１〜３記載の二重扉。
【請求項５】
二重扉の重ねた反対側に相対してハンドルを設け、二重扉に相接する側にこれらのハンドルの回動操作を伝達するクラッチ機構を設けてそれぞれの扉に設けたラッチボルトを連動して操作可能とし、さらに二重扉の間にそれぞれの扉を相接した状態で結合・及び分離開放する機構を設けたことにより、二重扉を一体として操作して開閉可能とすると共に、内外扉を独立して開閉可能としたことを特徴とする請求項１〜４記載の二重扉。
【発明の詳細な説明】
【技術分野】
【０００１】
本発明は、住宅の玄関扉などにおいて防犯上の機能と共に外見の体裁や通風などの多様な機能を有する扉に関する。
【背景技術】
【０００２】
近年鉄筋コンクリート製の建築物からなる集合住宅をはじめとして、玄関扉に機能的な鋼製の扉が広く用いられるようになってきている。
これらの扉は、強度や耐火性などの機能上優れているが、最近のセキュリティ強化が求められる状況では防犯対策上、扉そのものの強度が十分であっても、ピッキング技術が向上し、或いは錠止構造を破壊されたりすることが相次いで起こるようになり、新たな対策が求められるに至っている。
また、これら鋼製扉は、住宅の玄関に用いられると体裁上外観が重視されると共に、外部との境界となり、来客や郵便配達などの訪問者と扉を介して接しなければならない。 或いは、限られた家屋設計事情から、採光・通風と共に視線を遮る効果なども求められることとなる。
このような事情に対して、錠止装置を二重に設けて安全を期すると共に、扉の一部に観察窓を設けたり、郵便物や宅配物品を受け取る窓を設置する工夫が凝らされていた。
【特許文献１】特開平9-32419号公報
【特許文献２】特開平9-317348号公報
【０００３】
特許文献1記載のものは、扉の中央部に開閉可能な小窓を設けてなるもので、小窓内に防虫網を設けて採光、通風、訪問者の観察可能とする。
また、特許文献2記載のものはいわゆる二重扉とされているが、外側に開く外扉の内側に、外扉に設けた来客応対用開口部及び通風用格子戸を覆う大きさの内扉を設けたもので、内扉は外扉の内側に開くことによって来客用開口越しに訪問者を確認して一旦内扉を閉じて外扉と一体にしてから、内扉と一体となった外扉を開くもので、実際の開閉動作や機能は特許文献１記載のものと変わらない。
【特許文献３】特開平１０−８８３８５号公報
【０００４】
特許文献３記載のものは、２枚の独立した扉からなる二重扉の典型例であって、防犯上の要請と共に通風・採光などの機能を達成するためにそれぞれ防火・採光性の良い防火網入りガラスと、通風性を備えたスチール格子戸や可動羽根構造のルーバーとを別個に開閉可能に設けている。
このため、これら２つの扉の一方を開放して壁面に接して収容することにより、これらの機能をそれぞれ発揮することができるというのであるが、これらの扉はそれぞれ独立して内・外開きに開閉する構造であるから、開閉操作に際しては常にそれぞれ独立した２つの扉として操作しなければならない。
【発明の開示】
【発明が解決しようとする課題】
【０００５】
防犯のための訪問者確認可能な扉と採光・通風などの異なる機能を備えた２つの扉を、通常の一枚の戸板からなる扉と同様に一体として開閉できると共に、それぞれの扉を訪問者確認用、通風、或いは採光の便に応じて個別に開放して使用可能とし、また、個別にこれらの扉を開閉操作可能とする。
【課題を解決するための手段】
【０００６】
戸口側壁縦枠に固定した第１の蝶番のヒンジピースに第１の扉を支持すると共にそのヒンジ片の延長上に第２の蝶番を設けてそのヒンジピースに第２の扉を回動可能に支持し、２枚の扉を重ねて第１の蝶番の廻りに回動可能に支持してなることにより、二重扉を一体に開閉可能とすると共に、外扉を閉じた状態で内扉を開閉し、更に内扉と共に外扉を外開きに開くことができ、
また、戸口側壁縦枠に固定した第１の蝶番の共通のシャフトの廻りに長さの異なる第１、第２のヒンジピースをそれぞれ独立に回動可能に設け、第１の扉を長さの短い第１ヒンジピースによって支持すると共に第２の扉を長さの長いヒンジピース先端に設けた第２の蝶番のヒンジピースに回動可能に支持してなることにより、二重扉を一体に開閉可能とすると共に、外扉を閉じた状態で内扉を開閉し、更に内扉を開いた状態で外扉を外開きに開くことができ、
さらに、戸口側壁縦枠に固定した第１の蝶番の共通のシャフトの廻りに長さの異なる第１、第２のヒンジピースをそれぞれ独立に回動可能に設け、第１の扉を長さの短い第１ヒンジピースによって支持すると共に第２の扉を長さの長いヒンジピースより支持してなることにより、それぞれ共通のシャフトの廻りに独立に回動可能とした二重扉である。
【０００７】
そして、二重扉のうち外扉を訪問者と相対して確認可能な扉構造とし、内扉を視線を遮り、屋内を見通せない扉構造としてなると共に、二重扉の重ねた反対側に相対してハンドルを設け、二重扉に相接する側にこれらのハンドルの回動操作を伝達するクラッチ機構を設けてそれぞれの扉に設けたラッチボルトを連動して操作可能とし、さらに二重扉の間にそれぞれの扉を相接した状態で結合・及び開放する機構を設けたことにより、二重扉を一体として操作して開閉可能とすると共に、内外扉を独立して開閉可能とした二重扉である。
【発明の効果】
【０００８】
本発明の二重扉は、２枚の扉を使い分けてそれぞれの機能を達成できると共に一枚の扉同様に扱い、簡便に操作することができる。
このため、それぞれ別個の機能を備えた２重扉からなるにもかかわらず、２枚の扉を使い分けてそれぞれの機能を達成できると共に一枚の扉同様に簡便に操作することができる。
【発明を実施するための最良の形態】
【０００９】
本願各発明に適用する二重扉の組合せについて図１に１例を示す。
図において、（A）は内扉の例で木目調の板材からなる扉であって家屋内が見えず、風が吹き抜けない構造からなり、必要に応じて耐火性の材質とする。
図（B）は、外扉の例として、スチール格子戸からなる。格子の間から訪問者などと対面して確認することができ、また、通気性、採光性があり、内扉を開放すると家屋内に風を入れたり、採光を図ることができる。
また、格子構造と共に網などを張れば通風性と採光性を確保した上で蚊などの有害昆虫の侵入を防止することができる。
なお、（A）、（B）図は、それぞれ内外から見た状態であるため、扉の左右が反対になっている。
【００１０】
第1発明の適用例を図２（A）〜（Ｃ）に示す。
（A）は、二重扉を閉じた状態で、通常の開閉には（B）に示すように内外扉を一体として外開きに開閉する。
訪問者の確認や、通風・採光を図るためには（C）のように内扉を内開きに開き、訪問者などを招じ入れるためには、この状態から内扉を一旦閉じて外扉と一体にして2つの扉を重ねて、（B）のように外開きに開く。
この蝶番構造と詳細を図3、４に示す。
外扉２及び内扉１は、戸口壁側の縦枠６に固定された第１蝶番８の第１ヒンジピース２２、及び第1ヒンジピースの延長上に設けられた第２蝶番の第２ヒンジピース２３にそれぞれ固定され、重ねられた状態で第１蝶番のシャフト２０の廻りに回動して外開きに開閉することができる。また、外扉を閉じた状態で内扉を内開きに開くことができ、この状態で通風を図ったり、或いは訪問客を対面して確認することができる。さらに訪問客を招じ入れる場合には、一旦内扉を閉じてから、内外扉を一体として外開きに開くことができる。
【００１１】
その扉と蝶番の開閉状態を対比して、それぞれ図５（Ａ）〜（Ｃ）、及び（Ａ'）〜（Ｃ'）に示す。
図5の（A）〜（Ｃ）、（Ａ'）〜（Ｃ'）はそれぞれの開閉状態に対応し、内外扉が一体となって閉じた状態（A）、（Ａ'）、外開きに開いた状態（Ｂ）、（Ｂ'）、及び内扉を外扉に対して内開きに開いた状態（Ｃ）、（Ｃ'）を示す。
内扉を外扉と重ねた状態で一体に開閉し、また必要に応じて内扉のみ独立に開閉するためには上述の蝶番の構造のほか、これらの２枚の扉をこれらの操作に応じて一体に結合したり、分離して別個に開閉できるための結合機構、及び２枚の扉が結合した状態で2つの扉のレバーハンドル（ノブ）が連動してラッチボルトを操作可能とするクラッチ機構が必要である。
図６、７にこれらのハンドル操作を連動するクラッチ機構及び内扉と外扉を結合して一体にする結合機構を示す。
【００１２】
図６に示すクラッチ機構３０は、内外扉の相接する側のケース側面に突出したクラッチ３１、３２がコイルスプリング３３によって相互に押圧されて相対する面に形成されたクラッチギア３４が噛合うことによって一方のレバーハンドル９を操作することによって内外扉のラッチボルト３５，３６を同時に操作することができる。
また、この二重扉を結合・分離する機構について、図７に一例を示す。
内外扉結合機構４０は、内扉にサムターン４１の回動操作によって、ガイド４２を通して上下するロッド４３と外扉２にロッド４３が相通してロックされるピボット４５からなる。二重扉の結合を開放するには、サムターンを回動してロッドをピボット４５から後退させることによって行い、両者の間隔が開くことによってクラッチ機構３０が分離して内外扉は独立して操作可能となる。この内外扉結合ピボット機構は、レバーハンドルの回動操作によっても結合を開放することもできる。
なお、内外扉結合機構は、操作の便を図るためハンドルの位置に近く設けたり、或いは更に強固に結合するため扉の左右に配置して連動させてもよい。
また、これらの内外扉の結合機構とクラッチ機構の結合・分離とは一連の操作となるから、リンク機構などにより連動させても良い。要は、２枚の２扉の結合・分離機構とハンドルの連動機構とがあれば本発明の二重扉の開閉操作が達成できるのであって、これらの機能を達成する具体的機構や種類は問わない。
【００１３】
すなわち、二重扉のハンドルを連動させてラッチボルトを操作したり、２枚の扉を結合・分離する機構は、これらの例示したクラッチ機構及び内外扉結合ピボット機構４０に限る必要はなく、それぞれ、押圧されて噛合う凹凸構造や連結機構からなる操作伝達や、或いは内外扉を結合する機構として鎌金のように相互に押し当てることによってトリガーが鎌金を回動させてロックされる機構でも良い。
これらの機構自体は周知のものであり、設計的事項として応用されているのでここでは詳説しない。
本発明の二重扉は、このように内外二重の扉がレバーハンドルの操作によって一枚の扉と同様に開閉できるが、外部からピッキングなどの不正な手段によって扉を開こうとすると、外扉を開かなければ内扉にアクセスできず、二段階の手順を必要とするばかりでなく、内扉側からの操作によって結合されているため、二重扉の結合を解かなければならず、開錠がより困難である。
【００１４】
第２発明による内外扉の開閉状態とその機構を図８、９に示す。
図８（Ａ）〜（Ｄ）は、それぞれ二重扉が閉じた状態、内外扉を一体に外開きに開いた状態、及び通風時、訪問者と対面するときなど内扉を内開きした状態、続いて外扉を外開きにして開放した状態を示す。
図９（Ａ）〜（Ｄ）にその蝶番構造と扉の開閉状態との関係を示す。蝶番は戸口壁側の縦枠に固定される縦枠固定用ヒンジピース２１によって固定される第１シャフト２０の廻りにそれぞれ独立に回動する第１ヒンジピース２２と第２ヒンジピース２３とからなり、外扉２は第１ヒンジピース２２に固定され、内扉１は第２ヒンジピースの延長部に設けられた第２シャフト２５の廻りに回動する第３ヒンジピース２６に固定される。
図９（Ａ）〜（Ｄ）はそれぞれ図８（Ａ）〜（Ｄ）に示す二重扉の開閉態様に対応し、第２発明によれば、訪問者を招じ入れるための扉の開閉操作が内扉を内開きに開いたまま外扉を外開きに開くことによって可能となる。
【００１５】
第３発明は、この第２発明の機構において、第２蝶番、第３ヒンジピースを省略して第２ヒンジピースの延長部に第２扉を固定し、第１ヒンジピースに固定された扉と重なるように配置することによって二重扉を構成する。
この場合、共通の回動軸となる第１シャフの廻りに長さの異なる第１ヒンジピース及び第２ヒンジピピースがそれぞれ回動する構造となり、第２発明の説明図である図９を参照すれば、外扉を固定した第１ヒンジピースに対して、第２ヒンジピースは内扉の厚さだけ長く、これらのヒンジピースの長さの差によって２枚の扉を重ねることができる。
したがって、内外扉は一枚扉として開閉できるほか、蝶番のヒンジピースの回動角度の許す範囲に応じて、それぞれ独立に回動可能にできる。（図示省略）
【００１６】
また、以上のほか二重扉を共に壁枠に固定した蝶番に回動可能に取り付ける構造としたが、外扉を戸口壁枠に固定した蝶番に回動可能に取り付けると共に、床及び戸口上部の横枠に内扉回動用のピボットを設けて、内扉を上述の結合機構及びクラッチ機構によって外扉に結合し、ピボット位置においてハンドルの回動によって上記の結合機構を解除すると同時にピボット軸を突出させて該ピボット軸の周りに回動可能とすることによって、内扉を外扉に対して内開きに開くこともできる。
さらに構造的には、これら以外に外扉のヒンジ側の側縁に内扉をヒンジを介して取り付けることにより、簡易な構造で第１発明と同様の機能を持たせることも可能である。
【産業上の利用可能性】
【００１７】
本発明の二重扉は、２つのそれぞれ異なる機能を備えた扉をその機能に応じて使い分け、特にスチール製の強固なグリル構造などの外扉を閉じた状態で訪問者を相対して確認できることにより、防犯機能を向上することが出来ると共にこれらの訪問者に対して一体として単一の扉と同様に操作して招じ入れることができる。
このため、戸建住宅は無論のこと、十分なスペースを確保することが困難な集合住宅などの玄関扉においても広く採用することが可能であり、時代の要請するセキュリティ向上に資することによって、社会のニーズに応え、産業の発展に寄与するものである。
【図面の簡単な説明】
【００１８】
【図１】本発明の二重扉に適用する扉の例。視線を遮り屋内の見通しを防止する構造（A）、スチール製グリル構造などからなる訪問者を相対して確認できる構造（B）。
【図２】第１発明の二重扉の開閉操作を示す。
【図３】第１発明の二重扉の蝶番構造。
【図４】第１発明の二重扉の細部構造。
【図５】第１発明の二重扉の開閉状態と蝶番構造の関係を示す。
【図６】本発明の二重扉のクラッチ機構例。
【図７】本発明の二重扉の結合機構例。
【図８】第２発明の二重扉の開閉状態を示す図。
【図９】第２発明の二重扉の開閉状態に対応する蝶番の状態を示す図。
【符号の説明】
【００１９】
１    内扉
２    外扉
５    戸口縦枠
６    戸口縦枠
７    第２蝶番
８    第１蝶番
９    レバーハンドル
１３  スクリーン（網）
１４  グリル（スチール格子）
２０  第１蝶番シャフト
２１  縦枠固定ヒンジピース
２２  第１ヒンジピース
２３  第２ヒンジピース
２５  第２蝶番シャフト
２６  第３ヒンジピース
３０  クラッチ機構
３１，３２  クラッチ
３３  コイルスプリング
３４  クラッチギア
３５、３６  ラッチボルト
４０  内外扉結合機構
４１  サムターン
４２  ロッドガイド
４３  ロッド
４５  ピボット
【図１】
2005061095.tif 000003
【図２】
2005061095.tif 000004
【図３】
2005061095.tif 000005
【図４】
2005061095.tif 000006
【図５】
2005061095.tif 000007
【図６】
2005061095.tif 000008
【図７】
2005061095.tif 000009
【図８】
2005061095.tif 000010
【図９】
2005061095.tif 000011